(57)【要約】【課題】不正解錠を防止しつつ、特定の施解錠操作を行うことなく容易に錠の施解錠が行える。【解決手段】リーダ２０は、携帯機１０から受信した自身を特定する機器ＩＤ情報と、リーダから送信した照会信号に付加された送信情報と、無作為に選択したリーダ２０の受信ゲートを示す受信ゲート指定情報とを含む携帯機特定信号の機器ＩＤ情報が登録済みの携帯機の機器ＩＤ情報と一致し、且つ照会信号に付加した送信情報と一致する携帯機特定信号を受信ゲート指定情報に基づく受信ゲートの受信タイミングで受信したときに、２回目の受信のときの携帯機特定信号のＡＧＣレベルと１回目の受信のときのＡＧＣレベルとを比較して所定範囲内のレベルの増加と判定したときに、錠を施解錠するための信号を出力する。【選択図】図１
2011208388.tif 000002
【特許請求の範囲】
【請求項１】
利用者を特定する認証用の携帯機特定信号を送信する携帯機と、
該携帯機から送信される前記携帯機特定信号を要求する照会番号を周期的に送信し、該照会信号に対する携帯機特定信号を前記携帯機との間の通信距離に応じたＡＧＣレベルで受信する受信ゲートを複数有するリーダと、を備え、
前記携帯機が前記リーダの所定の通信エリア内に近接した際に起動する誘導磁界を利用して錠の施解錠を行う電気錠システムにおいて、
前記携帯機は、前記リーダの通信エリア内に近接して前記リーダから前記照会信号を所定の受信タイミングで受信したときに、自身を特定する機器ＩＤ情報と、無作為に選択した前記リーダの受信ゲートを示す受信ゲート指定情報とを含む前記携帯機特定信号を送信し、
前記リーダは、前記携帯機から受信した前記携帯機特定信号の機器ＩＤ情報が登録済みの携帯機の機器ＩＤ情報と一致する前記携帯機特定信号を前記選択された受信ゲートの受信タイミングで受信したときに、２回目の受信のときの前記携帯機特定信号のＡＧＣレベルと１回目の受信のときのＡＧＣレベルとを比較して所定範囲内のレベルの増加と判定したときに、前記錠を施解錠するための信号を出力することを特徴とする電気錠システム。
【請求項２】
利用者を特定する認証用の携帯機特定信号を送信する携帯機と、
該携帯機から送信される前記携帯機特定信号を要求する照会番号を周期的に送信し、該照会信号に対する携帯機特定信号を前記携帯機との間の通信距離に応じたＡＧＣレベルで受信する受信ゲートを複数有するリーダと、を備え、
前記携帯機が前記リーダの所定の通信エリア内に近接した際に起動する誘導磁界を利用して錠の施解錠を行う電気錠システムにおいて、
前記携帯機は、前記リーダの通信エリア内に近接して前記リーダから所定の送信番号が付加された前記照会信号を所定の受信タイミングで受信したときに、自身を特定する機器ＩＤ情報と、前記照会信号に付加された送信番号と、無作為に選択した前記リーダの受信ゲートを示す受信ゲート指定情報とを含む前記携帯機特定信号を送信し、
前記リーダは、前記携帯機から受信した前記携帯機特定信号の機器ＩＤ情報が登録済みの携帯機の機器ＩＤ情報と一致し、且つ前記照会信号に付加した送信番号と一致する前記携帯機特定信号を前記選択された受信ゲートの受信タイミングで受信したときに、２回目の受信のときの前記携帯機特定信号のＡＧＣレベルと１回目の受信のときのＡＧＣレベルとを比較して所定範囲内のレベルの増加と判定したときに、前記錠を施解錠するための信号を出力することを特徴とする電気錠システム。
【請求項３】
前記リーダは、前記携帯機特定信号と前記ＡＧＣレベルの情報を記憶する記憶手段を備え、
前記携帯機から受信した携帯機特定信号が登録済みで１回目の受信のときに、該受信した携帯機特定信号とＡＧＣレベルの情報を前記記憶手段に記憶し、
前記携帯機から受信した携帯機特定信号が登録済みで２回目の受信のときの該携帯機特定信号のＡＧＣレベルの増加が前記所定範囲内のときには、該携帯機特定信号とＡＧＣレベルの情報を、前記錠を施解錠するための信号の出力後に前記記憶手段から消去し、
前記携帯機から受信した携帯機特定信号が登録済みで２回目の受信のときの該携帯機特定信号のＡＧＣレベルの増加が前記所定範囲内にないときには、該携帯機特定信号とＡＧＣレベルの情報を前記記憶手段から消去し、
前記携帯機から受信した携帯機特定信号が登録済みでないときには、該携帯機特定信号とＡＧＣレベルの情報を破棄することを特徴とする請求項１又は２記載の電気錠システム。
【発明の詳細な説明】
【技術分野】
【０００１】
本発明は、利用者を特定する認証用の携帯機特定信号を送信する携帯機と、この携帯機から送信される携帯機特定信号を受信するリーダとを備え、携帯機がリーダの所定の通信エリア内に近接した際に起動する誘導磁界を利用して錠の施解錠を行う電気錠システムに関するものである。
【背景技術】
【０００２】
従来より、セキュリティの向上や操作性の向上を目的に、施解錠用のＩＤコードを用いた電子制御による扉錠の施解錠装置が提案されている。この種の施解錠装置は、利用者が所有する携帯型のリモコンキーと、リモコンキーが送信するＩＤを受信する施解錠機構とからなり、無線通信によるＩＤ照合結果に基づいて錠の施解錠を行う。なお、このような施解錠装置については、例えば下記特許文献１に記載されたものが公知である。
【０００３】
図６は特許文献１に開示される施解錠装置の概略構成を示している。図６に示すように、送信アンテナと受信アンテナとを設けた送受信機と、この送受信機とシリンダ錠とを備えると共に施解錠する者の意志による操作で施解錠することができるタッチスイッチ１０１を設けた外側錠部１０２とがドア１０３の外面に配設されている。また、ドア１０３の内面には、送信アンテナと受信アンテナとを設けた送受信機と、施解錠機構の電動駆動部を設けたサムタ−ン装置とを備えると共にタッチスイッチ１０４を設けた内側錠部１０５とが配設されている。この施解錠装置では、携帯機１０６からのレスポンスコ−ド信号の受信にしたがってコントロ−ラ１０７が施解錠の準備モ−ドに移行し、この準備モ−ドにおいてタッチスイッチ１０１または１０４を操作することにより、施錠又は解錠が実行される構成となっている。
【先行技術文献】
【特許文献】
【０００４】
【特許文献１】特開２００３−３４３１２９号公報
【発明の概要】
【発明が解決しようとする課題】
【０００５】
このように、特許文献１に開示される従来の施解錠装置では、施解錠時に利用者が扉に近接した状態で扉に配設されたタッチキーが押下されると、利用者に施解錠意志があるものと認識して錠の施解錠を行っていた。
【０００６】
しかしながら、上述した従来の施解錠装置では、利用者の施解錠意志を確認するためにタッチキーの押下を必要不可欠としており、利用者の両手がふさがった状態ではタッチキーの押下が困難であり、特に重い荷物を持っている場合に無理してタッチキーを押下しようとすると、転倒や荷物の落下等の事故につながる虞があった。また、特に上肢が不自由な身障者等のように、手が自由に使えない利用者では、タッチキーが押下できず施解錠を行うことができなかった。さらに、タッチキーの設置場所が成人の標準身長に合せた高さに設置されていることが多いため、利用者が低身長の子供や老人等場合にスムーズに施解錠操作が行えないという問題もあった。
【０００７】
また、この種の施解錠装置では、タッチキーが扉に配設されているため、悪戯によってタッチキーが破損したり、機能低下を招く可能性があった。しかも、押下操作しやすいように扉の表面にタッチキーが配設されるため、美観を損ねる要因にもなっていた。
【０００８】
ところで、施解錠装置の他の形態として、携帯機がリーダに近づいた際の受信レベルの大きさによって錠を解錠する方式も知られているが、この方式ではリーダに接近検知機能がないため、リーダの近くに携帯機が置かれた状態のまま放置されると、常に錠が解錠状態となってしまい、セキュリティ上問題があった。
【０００９】
さらに、近年では、あるノイズに対して逆位相の信号を重ね合わせることでノイズを無効化するノイズキャンセラー技術の進歩によって空間伝送信号のコピーが容易になっている。このため、リーダーと携帯機との間で送受信される信号を傍受され、その信号を用いて不正解錠される虞があり、更なるセキュリティ向上が求められている。
【００１０】
そこで、本発明は上記問題点に鑑みてなされたものであり、利用者が特定の施解錠操作を行うことなく容易に錠を施解錠することができ、且つリーダーと携帯機との間の信号傍受による不正解錠が防止できるセキュリティる電気錠システムを提供することを目的とするものである。
【課題を解決するための手段】
【００１１】
上記した目的を達成するために、請求項１に記載された電気錠システムは、利用者を特定する認証用の携帯機特定信号を送信する携帯機と、
該携帯機から送信される前記携帯機特定信号を要求する照会番号を周期的に送信し、該照会信号に対する携帯機特定信号を前記携帯機との間の通信距離に応じたＡＧＣレベルで受信する受信ゲートを複数有するリーダと、を備え、
前記携帯機が前記リーダの所定の通信エリア内に近接した際に起動する誘導磁界を利用して錠の施解錠を行う電気錠システムにおいて、
前記携帯機は、前記リーダの通信エリア内に近接して前記リーダから前記照会信号を所定の受信タイミングで受信したときに、自身を特定する機器ＩＤ情報と、無作為に選択した前記リーダの受信ゲートを示す受信ゲート指定情報とを含む前記携帯機特定信号を送信し、
前記リーダは、前記携帯機から受信した前記携帯機特定信号の機器ＩＤ情報が登録済みの携帯機の機器ＩＤ情報と一致する前記携帯機特定信号を前記選択された受信ゲートの受信タイミングで受信したときに、２回目の受信のときの前記携帯機特定信号のＡＧＣレベルと１回目の受信のときのＡＧＣレベルとを比較して所定範囲内のレベルの増加と判定したときに、前記錠を施解錠するための信号を出力することを特徴とする。
【００１２】
請求項２に記載された電気錠システムは、利用者を特定する認証用の携帯機特定信号を送信する携帯機と、
該携帯機から送信される前記携帯機特定信号を要求する照会番号を周期的に送信し、該照会信号に対する携帯機特定信号を前記携帯機との間の通信距離に応じたＡＧＣレベルで受信する受信ゲートを複数有するリーダと、を備え、
前記携帯機が前記リーダの所定の通信エリア内に近接した際に起動する誘導磁界を利用して錠の施解錠を行う電気錠システムにおいて、
前記携帯機は、前記リーダの通信エリア内に近接して前記リーダから所定の送信情報が付加された前記照会信号を所定の受信タイミングで受信したときに、自身を特定する機器ＩＤ情報と、前記照会信号に付加された送信情報と、無作為に選択した前記リーダの受信ゲートを示す受信ゲート指定情報とを含む前記携帯機特定信号を送信し、
前記リーダは、前記携帯機から受信した前記携帯機特定信号の機器ＩＤ情報が登録済みの携帯機の機器ＩＤ情報と一致し、且つ前記照会信号に付加した送信情報と一致する前記携帯機特定信号を前記選択された受信ゲートの受信タイミングで受信したときに、２回目の受信のときの前記携帯機特定信号のＡＧＣレベルと１回目の受信のときのＡＧＣレベルとを比較して所定範囲内のレベルの増加と判定したときに、前記錠を施解錠するための信号を出力することを特徴とする。
【００１３】
請求項３に記載された電気錠システムは、請求項１又は２記載の電気錠システムにおいて、前記リーダは、前記携帯機特定信号と前記ＡＧＣレベルの情報を記憶する記憶手段を備え、
前記携帯機から受信した携帯機特定信号が登録済みで１回目の受信のときに、該受信した携帯機特定信号とＡＧＣレベルの情報を前記記憶手段に記憶し、
前記携帯機から受信した携帯機特定信号が登録済みで２回目の受信のときの該携帯機特定信号のＡＧＣレベルの増加が前記所定範囲内のときには、該携帯機特定信号とＡＧＣレベルの情報を、前記錠を施解錠するための信号の出力後に前記記憶手段から消去し、
前記携帯機から受信した携帯機特定信号が登録済みで２回目の受信のときの該携帯機特定信号のＡＧＣレベルの増加が前記所定範囲内にないときには、該携帯機特定信号とＡＧＣレベルの情報を前記記憶手段から消去し、
前記携帯機から受信した携帯機特定信号が登録済みでないときには、該携帯機特定信号とＡＧＣレベルの情報を破棄することを特徴とする。
【発明の効果】
【００１４】
本発明の電気錠システムによれば、錠を施解錠する際に、その都度特別な施解錠操作をすることなく携帯機を携帯して錠に近づくだけで錠の施解錠が行え、利用者の利便性を向上させることができる。また、携帯機と誘導磁界を利用して通信できる場所であれば配設位置が制約されないので、悪戯による破損や機能低下を防止するように隠して配設することが可能となり、セキュリティ性の向上させることができる。さらに、リーダは、携帯機の機器ＩＤ情報、リーダから送信した送信情報、無作為に選択された受信リーダの受信タイミングとが一致し、且つ２回目の受信レベルが１回目の受信レベルよりも所定レベル以上増加した場合にのみ施解錠操作可能となるため、空間伝送信号のコピーによる信号の傍受での不正解錠を困難としてセキュリティ性の向上を図ることができる。
【図面の簡単な説明】
【００１５】
【図１】本発明に係る電気錠システムの概略構成を示すブロック図である。
【図２】本発明に係る電気錠システムにおいてリーダからの照合信号に対する受信タイミングを説明するためのタイミングチャート図である。
【図３】本発明に係る電気錠システムにおいて携帯機とリーダとの間の受信レベルと通信距離との関係を示す説明図である。
【図４】本発明に係る電気錠システムの処理動作を説明するためのフローチャート図である。
【図５】本発明に係る電気錠システムの動作タイミングを説明するためのタイミングチャート図である。
【図６】特許文献１に開示される従来の電気錠システムの概略構成を示す部分斜視図である。
【発明を実施するための形態】
【００１６】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等は全て本発明の範疇に含まれる。
【００１７】
［電気錠システムの装置構成］
まず、本例の電気錠システムの構成について図１を参照しながら詳細に説明する。図１に示すように、電気錠システム１は、携帯機１０とリーダ２０とを備えて概略構成され、携帯機１０がリーダ２０の所定の通信エリア内に近接した際に起動する誘導磁界を利用して携帯機１０とリーダ２０との間で各種信号の送受信を行い、錠の施解錠制御を行っている。
【００１８】
なお、以下では、本例の電気錠システム１を一般住宅の玄関扉に採用した場合を例にとって説明するが、これに限定されるものではない。例えば高齢者や身障者専用の養護施設やオフィスビル等に設けられた荷物運搬用の専用口等様々な場所に採用することができる。
【００１９】
＜携帯機＞
携帯機１０は、住人が携帯した状態でリーダ２０の通信エリア内に所定距離近接することで起動する誘導磁界を利用して施解錠に必要な各種信号をリーダ２０との間で送受信するものであり、図１に示すように、携帯機側受信部１１、携帯機側制御部１２、携帯機側送信部１３、電源部１４を備えて構成される。
【００２０】
携帯機側受信部１１は、受信アンテナ１１ａと、受信回路１１ｂとを備えて構成される。受信アンテナ１１ａは、携帯機１０がリーダ２０の通信エリア内に近接した際に起動される誘導磁界により、後述する送信情報が付加された照会信号Ｓを取り込んでいる。受信回路１１ｂは、受信アンテナ１１ａから照会信号Ｓ毎にランダムに選択される受信ゲートの受信タイミングで取り込むと、この受信した照会信号Ｓを所定の電圧レベルに変換した後、照会受信情報として携帯機側制御部１２に出力している。
【００２１】
ここで、図２は本例の電気錠システム１における送信タイミング、受信タイミング及び受信ゲートの関係を示している。図２に示すように、基本タイミングＴは、リーダ２０から送信される照会信号Ｓの送信タイミングと、携帯機１０が照会信号Ｓに対する応答として携帯機特定信号をリーダ２０に返す受信タイミングによる。受信タイミングは、基本タイミングＴ毎に送信される照会信号Ｓ（Ｓ１，Ｓ２，…）に対して、リーダ２０の後述する受信回路２１ｂの受信ゲートをオープンしてからクローズするまでの時間であり、受信回路２１ｂの受信タイミングと対応して基本タイミングＴ毎に複数（図２の例では、受信１〜７の７つ）に分割されている。これにより、照会信号Ｓに対する複数の携帯機１０からリーダ２０への送信衝突を防止している。
【００２２】
携帯機側制御部１２は、例えばＣＰＵやＲＯＭ、ＲＡＭ等のマイクロコンピューターで構成され、受信ゲート選択手段１２ａを備えている。携帯機側制御部１２は、携帯機側受信部１１からの照会受信情報が対応するリーダ２０から出力された照会受信情報であるか否かの判別を行い、その正当性を判別する。そして、携帯機側制御部１２は、正当な照会受信情報（すなわち対応したリーダ２０から送信された照会受信情報）であると認証された場合にのみ、この照会信号に対する応答信号として自身を特定する機器ＩＤ情報と、照会信号に含まれる送信情報と、リーダ２０の受信ゲートを無作為に選択した後述する受信ゲート指定情報とを含む信号を携帯機特定信号として携帯機側送信部１３に出力している。
【００２３】
なお、受信ゲート指定情報は、送信する携帯機特定信号をリーダのどの受信ゲートで受信させるかを選択する受信ゲート選択手段１２ａによって無作為に選択された情報である。受信ゲート選択手段１２ａによる受信ゲートの指定方法としては、例えば携帯機２０の各受信ゲートに対応した数字がテーブル化され、乱数発生手段で発生した乱数に基づきテーブル内の数字を選択することで受信ゲートを無作為に選択している。そして、携帯機側制御部１２は、受信ゲート選択手段１２ａで指定した受信ゲートを示す受信ゲート指定情報、機器ＩＤ情報、送信情報とを付加した携帯機特定信号として携帯機側送信部１３に出力している。
【００２４】
携帯機側送信部１３は、送信アンテナ１３ａと、送信回路１３ｂとを備えて構成される。送信回路１３ｂは、携帯機側制御部１２からの携帯機特定信号により送信アンテナ１３ａに流れる電流を直接駆動し、送信アンテナ１３ａから携帯機特定信号を送信している。
【００２５】
電源部１４は、例えばボタン電池や乾電池等が着脱交換可能に設けられ、各部に必要な駆動電源を供給している。また、電源部１４は、電池を装着して電源を供給する構成の他に、リーダ２０との間で起動する誘導磁界により自励発電を行う自励発電装置として構成することもできる。
【００２６】
＜リーダ＞
リーダ２０は、例えば扉内部や扉近傍の壁内部に携帯機１０と通信可能な状態で設けられ、携帯機１０との間で施解錠に関する各種信号を送受信する所定の通信エリアを有し、携帯機１０が通信エリアに対して所定距離近接することで起動する誘導磁界を利用して施解錠に必要な各種信号を携帯機１０との間で送受信している。このリーダ２０は、図１に示すように、リーダ側受信部２１、リーダ側制御部２２、リーダ側送信部２３、通信部２４、電源部２５を備えて構成される。
【００２７】
リーダ側受信部２１は、受信アンテナ２１ａ、受信回路２１ｂ、ＡＧＣ（Automatic Gain Control：自動利得制御）回路２１ｃを備えて構成される。受信アンテナ２１ａは、携帯機１０が通信エリアに対して所定距離近接することで起動する誘導磁界を利用して携帯機１０から送信される携帯機特定信号を取り込んでいる。受信回路２１ｂは、受信アンテナ２１ｂから取り込んだ携帯機特定信号を、リーダ側制御部２２からの後述する受信タイミングで受信し、この受信した携帯機特定信号を所定の電圧レベルに変換して復調した後、携帯機特定受信情報（機器ＩＤ情報、送信情報、受信ゲート指定情報を含む）としてリーダ側制御部２２に出力している。ＡＧＣ回路２１ｃは、受信アンテナ２１ａを介して受信回路２１ｂが受信した誘導電磁波の強さに応じて、受信回路２１ｂの利得（感度）が適正値となるように利得を自動的に可変制御している。そして、受信した携帯機特定信号に基づくＡＧＣ回路２１ｃのＡＧＣレベルは、ＡＧＣレベル情報としてリーダ側制御部２２に出力される。
【００２８】
ここで、本例の電気錠システム１では、携帯機１０とリーダ２０との間で誘導磁界を利用して通信を行っており、例えば図３に示すように、携帯機１０とリーダ２０との間の通信距離が１００ｃｍのときの受信レベルが−４１．９ｄＢ、携帯機１０とリーダ２０との間の通信距離が１２０ｃｍのときの受信レベルが−４６．７ｄＢといったように、携帯機１０とリーダ２０との間の通信距離と受信レベルとの関係が物理常数であり、受信レベルが通信距離の３乗に反比例している。そして、本例のシステムによれば、携帯機特定信号毎に受信レベル変化を見ることでリーダ２０に対する携帯機１０の接近速度が検出でき、受信レベルからリーダ２０に対する携帯機１０の距離が計測できる。
【００２９】
リーダ側制御部２２は、例えばＣＰＵやＲＯＭ、ＲＡＭ等のマイクロコンピューターで構成される。このリーダ側制御部２２は、図１に示すように、記憶手段２２ａ、情報判別手段２２ｂ、受信回数判別手段２２ｃ、ＡＧＣレベル判別手段２２ｄを備えている。リーダ側制御部２２は、図２や図５に示すような基本タイミングＴ毎の周期的な照会信号Ｓの生成、この照会信号Ｓの送信に伴う携帯機１０からの携帯機特定信号を受信するための受信タイミング（携帯機１０からの携帯機特定信号の受信ために基本タイミングＴ内で受信ゲートをオープンしてからクローズするまでの時間）の生成、携帯機１０に送信する照会番号に付加する所定の送信情報（送信毎に変動する任意の情報）を照会信号に付加する処理、受信タイミングの受信ゲート毎に受信回路２１ｂの出力を有効にする制御、リーダ側受信部２１からの携帯機特定受信情報に関する判別処理、リーダ側受信部２１からのＡＧＣレベル情報に関する判別処理を行い、これらの判別結果に応じて施解錠に関する各種制御を行う。
【００３０】
記憶手段２２ａは、例えば磁気的、光学的記憶媒体若しくはＲＯＭ、ＲＡＭ等の半導体メモリで構成され、携帯機１０から取得した携帯機特定信号に基づく携帯機特定受信情報に付加された機器ＩＤ情報が登録済みの情報か否かを判別するための認証用機器ＩＤ情報（すなわち、登録済みの携帯機の機器ＩＤ情報）、携帯機１０に送信する送信情報（例えばリーダ固有若しくは所定条件により選択されるビットデータ）、登録済みの携帯機１０からの携帯機特定受信情報の受信回数、前回受信した携帯機特定信号のＡＧＣレベル情報、現在受信した携帯機特定信号のＡＧＣレベル情報と前回のＡＧＣレベル情報とを比較して所定範囲内のレベル増加か否かを判別するためのＡＧＣレベル判別用データ等、各部の駆動制御に関する各種データを記憶している。
【００３１】
情報判別手段２２ｂは、リーダ側受信部２１からの携帯機特定受信情報における送信情報がリーダ２０から送信した送信情報と一致するか否かを判別するとともに、受信ゲート指定情報に指定された受信ゲートで携帯機特定信号を受信したか否かを判別し、送信情報及び受信ゲートが一致した場合にのみ、リーダ側受信部２１からの携帯機特定受信情報における機器ＩＤ情報と、記憶手段２２ａに記憶された認証用機器ＩＤ情報とを比較する。そして、リーダ側受信部２１からの携帯機特定受信情報が記憶手段２２ａに登録済みの携帯機１０からの情報と一致すると判別したとき、正常な携帯機特定情報を入力したことを示す正常受信情報を受信回数判別手段２２ｃに出力している。
【００３２】
なお、情報判別手段２２ｂは、携帯機特定受信情報における送信情報と受信ゲート指定情報に指定した受信ゲートと一致しないと判別した場合又はリーダ側受信部２１からの携帯機特定受信情報が記憶手段２２ａに登録された携帯機１０から送信されたものでないと判定した場合に、その携帯機特定受信情報と、そのときのＡＧＣレベル情報とを破棄している。
【００３３】
受信回数判別手段２２ｃは、情報判別手段２２ｂから正常受信情報を入力すると、その携帯機特定受信情報の受信が１回目か否かを判別している。そして、受信回数判別手段２２ｃは、携帯機特定受信情報の受信が１回目と判定したときに、そのとき取り込んだ携帯機特定受信情報（携帯機特定信号）とＡＧＣレベル情報とを記憶手段２２ａに記憶している。また、受信回数判別手段２２は、受信した携帯機特定受信情報が２回目であった場合は、携帯機特定信号のＡＧＣレベルを判別するためのＡＧＣレベル判別信号をＡＧＣレベル判別手段２２ｄに出力している。
【００３４】
ＡＧＣレベル判別手段２２ｄは、受信回数判別手段２２ｃからＡＧＣレベル判別信号を入力すると、現在受信した携帯機特定受信情報のＡＧＣレベル情報と記憶手段２２ａに記憶された前回のＡＧＣレベル情報とを比較し、レベルの増加が記憶手段２２ａに記憶されたＡＧＣレベル判別用データの所定範囲内にあるか否かを判別している。そして、受信したＡＧＣレベル情報の増加が所定範囲内と判定したときには、通信部２４に不図示の電気錠ユニットを駆動させるための駆動信号を出力する。また、ＡＧＣレベル判別手段２２ｄは、ＡＧＣレベル判別処理後、携帯機１０に携帯機特定信号の送信を要求するための照会信号にリーダ側制御部２２で生成した送信情報を付加した状態でリーダ側送信部２３に出力している。
【００３５】
なお、ＡＧＣ判別手段２２ｄは、受信した携帯機特定受信情報の受信が１回目でなく、そのときのＡＧＣレベル情報と記憶手段２２ａに記憶された前回のＡＧＣレベル情報との比較により今回のＡＧＣレベル情報の増加が所定範囲内にないと判定したときは、そのときの携帯機特定受信情報（携帯機特定信号）とＡＧＣレベル情報を記憶手段２２ａから消去している。
【００３６】
リーダ側送信部２３は、送信アンテナ２３ａと、送信回路２３ｂとを備えて構成される。送信回路２３ｂは、ＡＧＣレベル判別手段２２ｂからの照会信号（送信情報が付加）を、記憶手段２２ａに記憶された送信タイミング情報に基づく基本タイミングＴ毎に送信アンテナ２３ａから周期的に送信している。
【００３７】
通信部２４は、例えば通信ケーブル等を接続するための通信コネクタ等で構成され、不図示の電気錠ユニットと通信可能に接続し、ＡＧＣレベル判別手段２２ｄから出力された駆動信号を出力している。なお、上記電気錠ユニットは、ＡＧＣレベル判別手段２２ｄからの駆動信号により電気錠に通電し、電気錠を解錠（又は施錠）するものである。
【００３８】
電源部２５は、商用電源（ＡＣ１００Ｖ）を外部電源として電源の供給を受け、各部に駆動電源を供給している。なお、電源部２５は、扉の所定箇所に着脱交換可能に設けられる扉内電池ユニットで構成することもできる。
【００３９】
［電気錠システムの処理動作］
次に、上述した電気錠システム１の処理動作について図４、５を参照しながら説明する。ここでは、送信情報をリーダ固有の８ビットデータとし、受信ゲートを図２に示すように７ゲートとし、本例の電気錠システム１を一般住宅の玄関扉に配設して住人が帰宅した際に携帯機１０を用いて玄関扉を解錠する場合を例にとって説明する。
【００４０】
図５に示すように、「リーダ送信」として、リーダ２０からは基本タイミングＴ毎に照会信号Ｓ（Ｓ１，Ｓ２，…）を周期的に送信している。そして、住人がリーダ２０の通信エリア内に近接していない状態では、リーダ２０が携帯機１０から携帯機特定信号を受信しない（図５の「リーダ受信」、「Ｒ１」の状態）。
【００４１】
この状態から、図４の処理手順に沿って説明すると、まず携帯機１０を携帯した住人がリーダ２０の通信エリア内に近接すると（ＳＴ１）、携帯機１０とリーダ２０との間で誘導磁場が発生し、この誘導磁場を利用してリーダ２０から携帯機１０に送信情報が付加された照会信号Ｓを送信する（ＳＴ２）。携帯機１０は、リーダ２０からの照会信号Ｓを選択された受信タイミングで受信すると、この照会信号Ｓの正当性を判別する（ＳＴ３）。携帯機１０は、対応するリーダ２０から送信された照会信号Ｓと認証すると（ＳＴ３−Ｙｅｓ）、リーダ２０の受信ゲートを無作為に選択し（ＳＴ４）、照会信号Ｓに対する応答として、携帯機１０を特定する機器ＩＤ情報と、照会信号に含まれる送信情報と、選択した受信ゲートを示す受信ゲート指定情報とを含む携帯機特定信号をリーダ２０に送信する（ＳＴ５）。
【００４２】
そして、リーダ２０は、携帯機１０から送信された携帯機特定信号を所定の受信タイミング（例えば図５の「リーダ受信」、「Ｒ２」の状態）で受信すると（ＳＴ６）、受信した携帯機特定信号における携帯機特定受信情報の送信情報がリーダ２０から送信した送信情報と一致するか否か及び受信ゲート指定情報で指定された受信ゲートと一致するか否かの判別を行う（ＳＴ７）。
【００４３】
このとき、携帯機特定受信情報の送信情報がリーダ２０から送信した送信情報であり、且つ受信ゲート指定情報で指定された受信ゲートで携帯機特定信号を受信した場合は（ＳＴ７−Ｙｅｓ）、次にこの受信した携帯機特定信号の機器ＩＤ情報が記憶手段２２ａに登録済みの携帯機１０の機器ＩＤ情報と一致するか否かを判別する（ＳＴ８）。
一方、携帯機特定受信情報の送信情報及び受信ゲート指定情報で指定した受信ゲートのうち何れか一方でも一致していない場合は（ＳＴ７−Ｎｏ）、そのとき受信した携帯機特定受信情報（携帯機特定信号）とＡＧＣレベル情報を破棄する（ＳＴ９）
【００４４】
ＳＴ８において、受信した携帯機特定信号の機器ＩＤ情報が登録済みの携帯機１０の機器ＩＤと一致しないと判定すると（ＳＴ８−Ｎｏ）、そのとき受信した携帯機特定受信情報（携帯機特定信号）とＡＧＣレベル情報を破棄する（ＳＴ９）。
これに対し、受信した携帯機特定信号が記憶手段２２ａに登録済みの携帯機１０の機器ＩＤ情報と一致すると（ＳＴ８−Ｙｅｓ）、受信した携帯機特定信号が１回目の受信であるか否かを判別する（ＳＴ１０）。
【００４５】
そして、受信した携帯機特定信号が１回目の受信であると判定すると（ＳＴ１０−Ｙｅｓ）、受信した携帯機特定信号による携帯機特定受信情報とＡＧＣレベル情報とを記憶手段２２ａに記憶し（ＳＴ１１）、ＳＴ６の処理に戻る。
これに対し、受信した携帯機特定信号が１回目の受信でない（２回目の受信）と判定すると（ＳＴ１０−Ｎｏ）、そのときの携帯機特定信号のＡＧＣレベル情報と前回受信した携帯機特定信号のＡＧＣレベル情報とを比較し、レベルの増加（例えば図５のΔＶ）が所定範囲内か否かを判別する（ＳＴ１２）。
【００４６】
そして、レベルの増加が所定範囲内であると判定すると（ＳＴ１２−Ｙｅｓ）、電気錠の解錠を行うための駆動信号を通信部２４を介して電気錠ユニットへ出力する（ＳＴ１３）。続いて、そのときの携帯機特定受信情報（携帯機特定信号）とＡＧＣレベル情報とを記憶手段２２ａから消去する（ＳＴ１４）。その後、送信情報を付加した照会信号Ｓを基本タイミングＴ毎に送信して携帯機１０からの携帯機特定信号の受信待ちに移行する。
【００４７】
これに対し、レベルの増加が所定範囲内にないと判定すると（ＳＴ１２−Ｎｏ）、そのときの携帯機特定受信情報（携帯機特定信号）とＡＧＣレベル情報とを記憶手段２２ａから消去する（ＳＴ１４）。その後、送信情報を付加した照会信号Ｓを基本タイミングＴ毎に送信して携帯機１０からの携帯機特定信号の受信待ちに移行する。
【００４８】
以上説明したように、本例の電気錠システム１は、利用者が所有する携帯機１０がリーダ２０の通信エリア内に近接した際に起動する誘導磁界を利用し、携帯機１０がリーダ２０の通信エリア内に近接したときに、携帯機１０がリーダ２０から送信情報を付加した照会信号Ｓが周期的に送信される。携帯機１０は、照会信号Ｓを所定の受信タイミングで受信し、この受信した照会信号Ｓが正当であった場合のみ携帯機１０からリーダ２０に自身を特定する機器ＩＤ情報と、照会信号に含まれる送信情報と、リーダ２０の受信ゲートを無作為に選択した受信ゲート指定情報とを含む携帯機特定信号を送信する。
【００４９】
リーダ２０は、携帯機１０から送信された携帯機特定信号を所定の受信タイミングで受信し、リーダ側受信部２１からの携帯機特定受信情報における送信情報がリーダ２０から送信した送信情報と一致するか否かを判別するとともに、受信ゲート指定情報に指定された受信ゲートで携帯機特定信号を受信したか否かを判別し、送信情報及び受信ゲートが一致した場合にのみ、リーダ側受信部２１からの携帯機特定受信情報における機器ＩＤ情報と、記憶手段２２ａに記憶された認証用機器ＩＤ情報とを比較する。そして、リーダ側受信部２１からの携帯機特定受信情報が記憶手段２２ａに登録済みの携帯機１０からの情報と一致すると判別したとき、受信した回数を判別し、受信回数が１回目でなと判定したときには、そのときの携帯機特定信号のＡＧＣレベルと前回のＡＧＣレベルとを比較し、レベルの増加が所定範囲内であると判定したときのみ錠を施解錠するための駆動信号を電気錠ユニットに出力している。
【００５０】
これにより、照会信号に付加した送信情報と携帯機１０自身を特定する機器ＩＤ情報を付加した携帯機特定信号を、無作為に選択した受信ゲートの受信タイミングで受信した場合にのみ携帯機特定信号の機器ＩＤ情報と送信情報の照合を行い、双方が正常であったときに１回目と２回目の携帯機特定信号のＡＧＣレベルを比較し、レベルが所定範囲内のであると判別したときに錠を施解錠制御するため、ノイズキャンセラー技術を用いた空間伝送信号のコピーによる不正解錠を困難として、セキュリティ性の向上を図ることができる。
【００５１】
さらに、錠を施解錠する際に、その都度特別な施解錠操作をすることなく、利用者は携帯機１０を携帯してリーダに近づくだけの接近検知により錠の施解錠を行うことができる。その結果、例えば両手が荷物等でふさがっている利用者であっても、解錠後に肘だけで開扉することができる。特に、重い荷物を持っている場合には、利用者転倒や運搬物の落下を防止することができる。また、リーダ設置高さに手が届かない背の小さな子供や老人、上肢の不自由な身障者、車椅子利用者等、幅広く利用することができ、リーダに触れることなく容易に錠の施解錠が行え、利便性の向上を図ることができる。
【００５２】
しかも、リーダ２０は、携帯機１０との間で誘導磁界が起動できる位置に配設されていればよいので、金属以外の物（例えば周囲と同じ壁紙等）でリーダ２０を隠して配設することができる。これにより、リーダ２０の配設位置の制約が軽減され、美観を損なうこともない。そして、リーダ２０を隠して配設すれば、リーダ２０と気付かれることもないので、悪戯による破損や機能低下を防止するという効果を奏する。
【００５３】
ところで、上述した形態では、リーダ２０から送信する照会番号に付加する送信情報としてめ記憶手段２２ａに記憶されたものを使用する構成で説明したが、これに限定されることはなく、例えば照会信号を送信する度に所定の送信情報を生成して付加したり、一定期間毎に送信情報を新たに生成して付加したりすることで、セキュリティ性を更に向上させることができる。
【符号の説明】
【００５４】
１…電気錠システム
１０…携帯機
１１…携帯機側受信部（１１ａ…受信アンテナ、１１ｂ…受信回路）
１２…携帯機側制御部（１２ａ…受信ゲート選択手段）
１３…携帯機側送信部（１３ａ…送信アンテナ、１３ｂ…送信回路）
１４…電源部
２０…リーダ
２１…リーダ側受信部（２１ａ…受信アンテナ、２１ｂ…受信回路）
２２…リーダ側制御部（２２ａ…記憶手段、２２ｂ…情報判別手段、２２ｃ…受信回数判別手段、２２ｄ…ＡＧＣレベル判別手段）
２３…リーダ側送信部（２３ａ…送信アンテナ、２３ｂ…送信回路）
２４…通信部
２５…電源部
【図１】
2011208388.tif 000003
【図２】
2011208388.tif 000004
【図３】
2011208388.tif 000005
【図４】
2011208388.tif 000006
【図５】
2011208388.tif 000007
【図６】
2011208388.tif 000008